(57)【要約】【課題】読み取った原稿画像に筋が発生するという読取異常の発生を未然に検知することができる原稿読取装置およびそれを用いた画像形成装置を提供する。【解決手段】原稿読取装置は、基準画素値を予め記憶している基準画素値記憶部６１と、原稿を搬送していない状態で、コンタクトガラスの原稿読取位置の領域のみならずその他の領域をも含むコンタクトガラス全域を読み取るように画像読取部２を制御する読取制御部６２と、読み取った画素データの値と基準画素値とを比較して異常画素を検出する異常画素検出部６４と、検出した異常画素に基づいて読み取り画像中に筋が発生する読取異常の可能性を判定する判定部６５とを備えている。【選択図】図４
2011234129.tif 000002
【特許請求の範囲】
【請求項１】
原稿搬送部と、スキャナ部とを備え、前記原稿搬送部で原稿を搬送させながら原稿搬送経路に設けられたコンタクト透過板を通して前記スキャナ部が原稿の画像を読み取る原稿読取装置であって、
前記コンタクト透過板に異物が存在しない状態で当該コンタクト透過板をスキャンして得られる基準画素値を予め記憶している基準画素値記憶部と、
前記原稿搬送部で原稿を搬送していない状態で、前記コンタクト透過板の原稿読取位置の領域のみならずその他の領域をも含むコンタクト透過板領域を読み取るように前記スキャナ部を制御する読取制御部と、
前記コンタクト透過板領域の読み取り画素データの値と前記基準画素値とを比較して異常画素を検出する異常画素検出部と、
前記異常画素検出部が検出した異常画素に基づいて、読み取り画像中に筋が発生する読取異常の可能性を判定する判定部とを備えていることを特徴とする原稿読取装置。
【請求項２】
前記判定部は、前記異常画素検出部が検出した異常画素を計数し、異常画素数が閾値以上のとき、読み取り画像中に筋が発生する可能性が高い筋発生前状態になっていると判定することを特徴とする請求項１に記載の原稿読取装置。
【請求項３】
前記判定部は、前記コンタクト透過板領域における原稿読取位置よりも原稿搬送方向上流側に存在する異常画素の方が、原稿読取位置よりも原稿搬送方向下流側に存在する異常画素よりも相対的に重みを高くして、異常画素を計数することを特徴とする請求項２に記載の原稿読取装置。
【請求項４】
過去に検出された異常画素の位置情報を記憶する異常画素位置記憶部をさらに備え、
前記判定部は、前記異常画素検出部が検出した異常画素の位置情報と、前記異常画素位置記憶部に記憶されている過去に検出された異常画素の位置情報とを比較し、異常画素の位置が、原稿読取位置よりも原稿搬送方向上流側からその下流の原稿読取位置へと向かって原稿読取位置に近づいているとき、読み取り画像中に筋が発生する可能性が高い筋発生前状態になっていると判定することを特徴とする請求項１に記載の原稿読取装置。
【請求項５】
過去に検出された異常画素の位置情報を記憶する異常画素位置記憶部をさらに備え、
前記判定部は、前記異常画素検出部が検出した異常画素の位置情報と、前記異常画素位置記憶部に記憶されている過去に検出された異常画素の位置情報とを比較し、異常画素の位置が、原稿読取位置よりも原稿搬送方向上流側からその下流の原稿読取位置へと向かって原稿読取位置に近づいており、且つ、異常画素の位置から原稿読取位置までの距離が閾値以下のときに、読み取り画像中に筋が発生する可能性が高い筋発生前状態になっていると判定することを特徴とする請求項１に記載の原稿読取装置。
【請求項６】
前記判定部が前記筋発生前状態を検出したとき、前記コンタクト透過板の清掃を促す警告処理を行う警告部をさらに備えていることを特徴とする請求項１ないし５の何れか１項に記載の原稿読取装置。
【請求項７】
前記判定部が前記筋発生前状態を検出したとき、より筋発生の可能性が低い読み取り位置となるように、原稿読取位置を変更する読取位置変更部をさらに備えていることを特徴とする請求項１ないし６の何れか１項に記載の原稿読取装置。
【請求項８】
前記コンタクト透過板と対向する位置に設けられ、原稿を搬送していない状態で前記スキャナ部が当該コンタクト透過板を読み取ったときの基準色を示す基準部材をさらに備え、
前記基準部材は黒色であることを特徴とする請求項１ないし７の何れか１項に記載の原稿読取装置。
【請求項９】
請求項１ないし８の何れか１項に記載の原稿読取装置と、
前記原稿読取装置によって読み取られた画像データに基づいて画像を形成する画像形成部と、を備えていることを特徴とする画像形成装置。
【発明の詳細な説明】
【技術分野】
【０００１】
本発明は、原稿を搬送しながら原稿の画像を撮像素子で読み取る原稿読取装置およびそれを用いた画像形成装置に関する。
【背景技術】
【０００２】
複写機、イメージスキャナ、ファクシミリ装置などに備えられる原稿読取装置は、静止した読み取り光学系をコンタクトガラス下方の原稿読取位置に配し、原稿の画像が形成された面がコンタクトガラスに当接するように原稿を副走査方向に搬送しながら、読み取り光学系にて原稿を主走査方向にスキャンして画像を読み取るようになっている。
【０００３】
上記の原稿読取装置において、コンタクトガラス上の原稿読取位置に紙粉や塵などの異物が滞留した場合、当該異物の像は、副走査方向に原稿が搬送されている間、常時、原稿の画像と共に読み取られることとなる。このため、図８に示すように、読み取られた画像には、原稿搬送方向（副走査方向）に延びる筋が発生してしまうという不都合が生じる。
【０００４】
近年、上記のような不都合を回避するための技術が提案されている（例えば、特許文献１および特許文献２）。
【０００５】
特許文献１には、原稿読み取り中の異なる２ラインと、原稿読取終了後の１ラインを記憶しておき、主走査座標で異常画素が検出されると、その主走査位置に塵が存在するとして、原稿読み取り時のキャリッジ位置（原稿読取位置）を塵が存在しない位置へと変更する技術が提案されている。
【０００６】
また、特許文献２には、原稿を読み込む前に、原稿読取位置にある背板（原稿読取位置におけるコンタクトガラスと対向位置にある白色板）を読み取り、原稿読取位置において塵による異常画素が存在すればユーザに清掃を促すメッセージを表示する技術が提案されている。
【先行技術文献】
【特許文献】
【０００７】
【特許文献１】特開２０００−３１０８２０号公報
【特許文献２】特開２００４−２８９６４８号公報
【発明の概要】
【発明が解決しようとする課題】
【０００８】
前記特許文献１に記載の技術では、コンタクトガラス上の原稿読取位置に塵が存在しなければ、キャリッジ位置（原稿読取位置）を変更する動作は行われない。また、前記特許文献２に記載の技術でも、原稿読取位置に塵が存在しなければ、ユーザに清掃を促すメッセージを表示する動作は行われない。すなわち、前記特許文献１および特許文献２に記載の技術では、たとえ原稿読取位置に近接した位置に塵が存在したとしても、原稿読取位置に塵が存在しなければ動作しないのである。
【０００９】
しかしながら、コンタクトガラス上の塵は、常時、同一箇所に留まっているわけではなく、原稿読み取り前に原稿読取位置には塵が存在しなかったとしても、例えば原稿を読み込んでいる最中に移動することもある。すなわち、原稿読取位置に近接した位置に塵が存在する場合、その後、当該塵が原稿読取位置に移動することによって、読み取られた原稿画像に筋が発生する可能性が比較的高いにもかかわらず、前記特許文献１および特許文献２に記載の技術では、それを未然に防止することができないという課題がある。
【００１０】
本発明は、前記課題を解決するためになされたものであり、読み取られた原稿画像に筋が発生するという異常の発生を未然に検知することができる原稿読取装置およびそれを用いた画像形成装置を提供することを目的とする。
【課題を解決するための手段】
【００１１】
請求項１に記載の発明は、原稿搬送部と、スキャナ部とを備え、前記原稿搬送部で原稿を搬送させながら原稿搬送経路に設けられたコンタクト透過板を通して前記スキャナ部が原稿の画像を読み取る原稿読取装置であって、前記コンタクト透過板に異物が存在しない状態で当該コンタクト透過板をスキャンして得られる基準画素値を予め記憶している基準画素値記憶部と、前記原稿搬送部で原稿を搬送していない状態で、前記コンタクト透過板の原稿読取位置の領域のみならずその他の領域をも含むコンタクト透過板領域を読み取るように前記スキャナ部を制御する読取制御部と、前記コンタクト透過板領域の読み取り画素データの値と前記基準画素値とを比較して異常画素を検出する異常画素検出部と、前記異常画素検出部が検出した異常画素に基づいて、読み取り画像中に筋が発生する読取異常の可能性を判定する判定部とを備えている原稿読取装置である。
【００１２】
上記の構成によれば、原稿搬送部で原稿を搬送していない状態で、コンタクト透過板をスキャナ部で読み取り、読み取った画素データを基準画素値記憶部に予め記憶している基準画素値と比較して、異常画素を検出するようになっている。ここで、原稿を搬送していない状態でコンタクト透過板をスキャナ部で読み取る場合、原稿読取位置の領域のみならずその他の領域をも含むコンタクト透過板領域を読み取る。これにより、コンタクト透過板における原稿読取位置以外の領域に紙粉等の異物が存在する場合でも、当該異物を異常画素として検出できる。
【００１３】
原稿読取装置で原稿が読み取られたときに発生する筋（図８参照）の多くは、コンタクト透過板上に貯まった原稿のゴミ(紙粉)が、搬送されている原稿に送られて原稿読取位置へと移動し、当該原稿読取位置に滞留して発生するものである。したがって、原稿の読み取り前に、原稿読取位置に紙粉等の異物が無くとも、コンタクト透過板上に異物が貯まっていれば、近い将来、読み取り画像中に筋が発生する可能性が高まる。
【００１４】
そこで、本発明の原稿読取装置では、上述のように、コンタクト透過板における原稿読取位置以外の領域に紙粉等の異物が存在する場合においても、当該異物を異常画素として検出しているのである。そして、このようにして検出した異常画素に基づいて、読み取り画像中に筋が発生する読取異常の可能性を判定部にて判定することにより、読み取り画像中の筋の発生を未然に検知することができる。よって、読み取り画像中の筋の発生を防止する対策を容易に講じることができる。
【００１５】
そして、請求項１に記載の原稿読取装置においては、請求項２に記載の発明のように、前記判定部は、前記異常画素検出部が検出した異常画素を計数し、異常画素数が閾値以上のとき、読み取り画像中に筋が発生する可能性が高い筋発生前状態になっていると判定するものとするとよい。
【００１６】
上記の構成によれば、コンタクト透過板領域に存在する異常画素を計数することにより、コンタクト透過板上の異物の量を定量的に求めることができる。そして、異常画素数が閾値以上のとき、異物の量が多いために、読み取り画像中に筋が発生する可能性が高いことを精度よく判定することができる。
【００１７】
請求項３に記載の発明は、請求項２に記載の原稿読取装置において、前記判定部が、前記コンタクト透過板領域における原稿読取位置よりも原稿搬送方向上流側に存在する異常画素の方が、原稿読取位置よりも原稿搬送方向下流側に存在する異常画素よりも相対的に重みを高くして、異常画素を計数するものとした構成である。
【００１８】
一般的に、コンタクト透過板上に貯まった紙粉等の異物は、搬送中の原稿に送られて、原稿搬送方向上流から下流へと移動し易い。このことを考慮すれば、原稿読取位置よりも原稿搬送方向上流側に存在する異常画素の方が、原稿読取位置よりも原稿搬送方向下流側に存在する異常画素よりも、原稿読取位置に近づき易いと言える。そこで、異常画素を計数する場合、原稿読取位置よりも原稿搬送方向上流側に存在する異常画素の方が、原稿読取位置よりも原稿搬送方向下流側に存在する異常画素よりも、相対的に重みを高くすることにより、読み取り画像中に筋が発生する可能性が高いことを、より高い精度で判定することができる。
【００１９】
請求項４に記載の発明は、請求項１に記載の原稿読取装置において、過去に検出された異常画素の位置情報を記憶する異常画素位置記憶部をさらに備え、前記判定部は、前記異常画素検出部が検出した異常画素の位置情報と、前記異常画素位置記憶部に記憶されている過去に検出された異常画素の位置情報とを比較し、異常画素の位置が、原稿読取位置よりも原稿搬送方向上流側からその下流の原稿読取位置へと向かって原稿読取位置に近づいているとき、読み取り画像中に筋が発生する可能性が高い筋発生前状態になっていると判定するものとした構成である。
【００２０】
前述のように、コンタクト透過板上に貯まった紙粉等の異物は、搬送中の原稿に送られて、原稿搬送方向上流から下流へと移動し易い。このようなコンタクト透過板上における異物の位置の変化状態をモニタすることによって、原稿読取位置へと異物が移動する可能性、すなわち、読み取り画像中に筋が発生する可能性が高い筋発生前状態を判定することができる。そこで、本発明の原稿読取装置は、過去に検出された異常画素の位置情報を異常画素位置記憶部に記憶しておき、今回検出した異常画素の位置と過去の異常画素の位置とを比較し、異常画素の位置が、原稿読取位置よりも原稿搬送方向上流側からその下流の原稿読取位置へと向かって原稿読取位置に近づいているのか、それとも原稿読取位置を通り過ぎて原稿読取位置から遠ざかっているのかを、判定部が判断する。これにより、異常画素の位置が原稿読取位置に近づいていることをもって、読み取り画像中に筋が発生する可能性が高い筋発生前状態であることを精度よく判定することができる。
【００２１】
請求項５に記載の発明は、請求項１に記載の原稿読取装置において、過去に検出された異常画素の位置情報を記憶する異常画素位置記憶部をさらに備え、前記判定部は、前記異常画素検出部が検出した異常画素の位置情報と、前記異常画素位置記憶部に記憶されている過去に検出された異常画素の位置情報とを比較し、異常画素の位置が、原稿読取位置よりも原稿搬送方向上流側からその下流の原稿読取位置へと向かって原稿読取位置に近づいており、且つ、異常画素の位置から原稿読取位置までの距離が閾値以下のときに、読み取り画像中に筋が発生する可能性が高い筋発生前状態になっていると判定するものとした構成である。
【００２２】
このように、異常画素の位置が原稿読取位置に近づいている場合であって、異常画素の位置から原稿読取位置までの距離が閾値以下の場合にのみ、読み取り画像中に筋が発生する可能性が高い筋発生前状態であると判定することにより、読み取り画像中に筋が発生する可能性がより高い状態を判定することができる。
【００２３】
請求項６に記載の発明は、請求項１ないし５の何れか１項に記載の原稿読取装置において、前記判定部が前記筋発生前状態を検出したとき、前記コンタクト透過板の清掃を促す警告処理を行う警告部をさらに備えている構成である。
【００２４】
このように、読み取り画像中に筋が発生する可能性が高い筋発生前状態が検出されたときに、ユーザにコンタクト透過板の清掃を促す警告処理を行うことによって、読み取り画像中の筋の発生を未然に防止することができる。
【００２５】
請求項７に記載の発明は、請求項１ないし６の何れか１項に記載の原稿読取装置において、前記判定部が前記筋発生前状態を検出したとき、より筋発生の可能性が低い読み取り位置となるように、原稿読取位置を変更する読取位置変更部をさらに備えている構成である。
【００２６】
このように、読み取り画像中に筋が発生する可能性が高い筋発生前状態が検出されたときに、原稿読取位置を変更することによって、読み取り画像中の筋の発生を未然に防止することができる。
【００２７】
請求項８に記載の発明は、請求項１ないし７の何れか１項に記載の原稿読取装置において、前記コンタクト透過板と対向する位置に設けられ、原稿を搬送していない状態で前記スキャナ部が当該コンタクト透過板を読み取ったときの基準色を示す基準部材をさらに備え、前記基準部材が黒色である構成である。
【００２８】
上記の構成によれば、原稿を搬送していない状態で前記スキャナ部が当該コンタクト透過板を読み取ったとき、コンタクト透過板と対向する位置に設けられた基準部材の色の濃度を取得することとなる。この基準部材背板の色を黒色とすることにより、紙粉の存在を異常画素として検出する精度が高まる。なぜならば、読み取り画像中に筋が発生する原因の多くは、紙粉であると考えられるためである。すなわち、紙粉の色は、通常、黒よりも白に近い灰色であるため、基準部材を黒にする方がより紙粉の色との濃度差が大きくなり、紙粉の存在を異常画素として検出する精度が高まるのである。
【００２９】
請求項９に記載の発明は、請求項１ないし８の何れか１項に記載の原稿読取装置と、前記原稿読取装置によって読み取られた画像データに基づいて画像を形成する画像形成部とを備えている画像形成装置である。
【００３０】
これにより、読み取り画像中の筋の発生を未然に検知することができる画像形成装置を実現できる。
【発明の効果】
【００３１】
本発明によれば、コンタクト透過板における原稿読取位置以外の領域に紙粉等の異物が存在する場合においても、当該異物を異常画素として検出しているので、読み取り画像中に筋が発生する読取異常の可能性を精度よく判定することができ、読み取り画像中の筋の発生を未然に検知することができる。
【図面の簡単な説明】
【００３２】
【図１】本発明に係る原稿読取装置を備えた画像処理装置の一実施の形態である複合機の内部構成を模式的に示した縦断面図である。
【図２】原稿読取装置の動作を説明するための説明図である。
【図３】複合機のハード構成の一例を示す概略のブロック図である。
【図４】複合機の制御部における機能的構成の一例を示す概略のブロック図である。
【図５】複合機の動作の一例を示すフローチャートである。
【図６】複合機の制御部における機能的構成の他の例を示す概略のブロック図である。
【図７】複合機の動作のその他の例を示すフローチャートである。
【図８】異物に起因して生じる筋状の画像を示す説明図である。
【発明を実施するための形態】
【００３３】
（実施の形態１）
以下、本発明に係る原稿読取装置を備えた画像処理装置の実施の形態について図面を参照して説明する。尚、以下の実施の形態では、本発明に係る画像処理装置の一実施の形態として、カラーコピー、スキャナ、ファクシミリ、プリンタ等の機能を備えた複合機に集約した形態を例に説明する。
【００３４】
図１は、本実施の形態に係る複合機１の内部構成を模式的に示した縦断面図である。図１に示す複合機１は、大きく分けると原稿読取装置としての画像読取部２と画像形成部としての装置本体３とからなる。画像読取部２は、原稿給紙部２１とスキャナ部２２を備えて構成される。原稿給紙部２１は、ＡＤＦ（Auto Document Feeder）を実現するものであり、原稿トレイ２４１、給紙ローラ２３２、搬送ドラム２３３、排紙ローラ対２３４及び排紙トレイ２３５を有する。
【００３５】
原稿トレイ２４１は、原稿が載置される場所であり、原稿トレイ２４１に載置された原稿は１枚ずつ給紙ローラ２３２によって取り込まれて搬送ドラム２３３へと搬送される。搬送ドラム２３３を経由した原稿は排紙ローラ２３４によって排紙トレイ２３５へ排出される。
【００３６】
スキャナ部２２は、原稿の画像を光学的に読み取って画像データを生成するものであり、装置本体３に設けられている。スキャナ部２２は、コンタクトガラス２２１、光源２２２、第１ミラー２２３、第２ミラー２２４、第３ミラー２２５、第１キャリッジ２２６、第２キャリッジ２２７、結像レンズ２２８、及びラインセンサであるＣＣＤ（Charge Coupled Device）２２９を備える。
【００３７】
スキャナ部２２は、光源２２２として冷陰極蛍光管等の白色蛍光ランプが用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。スキャナ部２２は、光源２２２として冷陰極蛍光管等の白色蛍光ランプを用いていることから、光源として３色ＬＥＤ等が用いられる後述のＣＩＳ（Contact Image Sensor）２３１よりも色再現性に優れる。
【００３８】
ＣＩＳ２３１は、ラインセンサであり、原稿給紙部２１の原稿搬送路においてスキャナ部２２による原稿読取位置よりも原稿搬送方向下流側に設けられている。ＣＩＳ２３１は、原稿搬送路において、スキャナ部２２によって読み取られる原稿面とは反対側の面を読み取る位置に設けられている。
【００３９】
図２に示すように、コンタクトガラス２２１は、ＡＤＦスキャン用コンタクトガラス８１（コンタクト透過板）と、テーブルスキャン用コンタクトガラス８２と、原稿左位置ストッパ８３とから構成される。
【００４０】
ＡＤＦスキャン用コンタクトガラス８１（コンタクト透過板）は、原稿給紙部２１により搬送される原稿の読み取り対象面が当接する位置に設けられ、光源２２２からのスキャン光を透過する。テーブルスキャン用コンタクトガラス８２は、原稿給紙部２１による原稿の搬送方向下流側に設けられ、原稿を載置できる表面積を有し、光源２２２からのスキャン光を透過する。原稿左位置ストッパ８３は、ＡＤＦスキャン用コンタクトガラス８１とテーブルスキャン用コンタクトガラス８２との間に設けられ、テーブルスキャン用コンタクトガラス８２に載置された原稿の左端部の位置決めに使用されるものである。
【００４１】
また、ＡＤＦスキャン用コンタクトガラス８１の上方であって、当該ＡＤＦスキャン用コンタクトガラス８１と対向する位置には、白色または黒色の背板８４が設けられている。この背板８４は、白色または黒色の基準となる基準部材である。この背板８４は、スキャナ部２２の配光特性や、スキャナ部２２におけるＣＣＤ２２９の画素毎の感度差に起因する画像データの誤差を補正するためのシェーディング補正処理などに使用される。シェーディング補正では、原稿を搬送していない状態で背板８４をスキャナ部２２で読み取り、当該背板８４の読み取りデータ（白色基準値または黒白色基準値）に基づいて、実際の原稿を当該スキャナ部２２で読み取った場合に得られる原稿読取データを補正する。
【００４２】
また、スキャナ部２２において、光源２２２及び第１ミラー２２３は、第１キャリッジ２２６によって支持されており、第２ミラー２２４及び第３ミラー２２５は、第２キャリッジ２２７によって支持されている。
【００４３】
画像読取部２の原稿読取モードとしては、テーブルスキャン用コンタクトガラス８２上に載置された原稿を、スキャナ部２２の光照射位置を移動させながら（走査しながら）読み取るフラットベッド読取モードがある。さらに、他の原稿読取モードとしては、原稿をＡＤＦによって取り込み、その搬送途中に設けられたＡＤＦスキャン用コンタクトガラス８１に原稿の読み取り対象面を当接させながら原稿を搬送すると共に、スキャナ部２２の光照射位置を固定して原稿を読み取るＡＤＦ読取モードがある。
【００４４】
フラットベッド読取モードでは、光源２２２がテーブルスキャン用コンタクトガラス８２上に載置された原稿を照射し、一次元のイメージセンサであるＣＣＤ２２９の各画素が並ぶ主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。このような動作が、主走査方向と直交する方向（副走査方向、矢印Ｙ方向）への第１キャリッジ２２６及び第２キャリッジ２２７の移動と並行して１ラインずつ実施される。ＣＣＤ２２９は、１ライン分の原稿の画像データを同時に処理し、画像データを１ライン単位でＡ／Ｄ変換部２１６（図３参照）に出力する。
【００４５】
ＡＤＦ読取モードでは、原稿トレイ２４１に載置された原稿が給紙ローラ２３２によって原稿搬送経路に１枚ずつ取り込まれ、搬送ドラム２３３から排紙トレイ２３５への搬送経路に設けられたＡＤＦスキャン用コンタクトガラス８１における画像読取位置２３０上を原稿が通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。このような動作が、搬送ドラム２３３による原稿の搬送と並行して１ラインずつ実施される。ＣＣＤ２２９は、１ライン分の原稿の画像データを同時に処理し、画像データを１ライン単位でＡ／Ｄ変換部２１６（図３参照）に出力する。尚、以下の説明において、特に記載のないものについては、ＡＤＦ読取モードによって原稿を自動給紙し、画像の読み取りを行うことを前提に説明を行う。
【００４６】
更に、原稿給紙部２１は切換ガイド２３６、反転ローラ対２３７及び反転搬送路２３８からなる原稿反転機構を有する。１回目のＡＤＦ読み取りによって表面（原稿の一方の面）が読み取られた原稿を、前記の原稿反転機構を用いて反転させて再搬送することによって、再度ＣＣＤ２２９によって裏面（原稿の他方の面）の読み取りを行わせることができる。この原稿反転機構は、両面読み取り時にのみ動作し、片面読み取り時は動作しない。片面読み取り後、及び両面読み取り時において裏面の読み取り後、切換ガイド２３６は上側に切り替えられ、搬送ドラム２３３を経た原稿は排紙ローラ対２３４によって排紙トレイ２３５に排紙される。なお、両面読み取り時における表面読み取り後、切換ガイド２３６は下側に切り替えられ、搬送ドラム２３３を経た原稿は反転ローラ対２３７のニップ部へ搬送される。その後、切換ガイド２３６は上側へ切り替わって反転ローラ対２３７が逆回転することにより、原稿は反転搬送路２３８を介して搬送ドラム２３３へ再搬送される。
【００４７】
更に、本実施の形態の画像読取部２は、ＡＤＦ読取モード時において、前記で説明したように原稿の搬送途中でＣＣＤ２２９によって原稿の表面の読み取りを行わせると同時に、ＣＩＳ２３１によって原稿の裏面の読み取りを行わせることも可能である。つまり、原稿トレイ２４１から給紙された原稿は画像読取位置２３０上を通過するときにＣＣＤ２２９によって表面が読み取られ、更にＣＩＳ２３１を通過する際に裏面も読み取られる。このようにＣＣＤ２２９とＣＩＳ２３１を用いることで、ワンパスで原稿の両面の読み取りが可能となる。
【００４８】
複合機１は、装置本体３と、装置本体３の左方に配設されたスタックトレイ６とを有している。装置本体３は、複数の給紙カセット４６１と、給紙カセット４６１から用紙（記録媒体）を１枚ずつ繰り出して記録部（画像形成部）４０へ搬送する給紙ローラ４６２と、給紙カセット４６１から搬送されてきた用紙に画像を形成する記録部４０とを備える。更に手差しトレイ４７１を備え、この手差しトレイ４７１には何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００４９】
記録部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ、４４Ｍ、４４Ｙ、４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、不図示のトナー供給容器（トナーカートリッジ）から行われる。また、記録部４０を通過した用紙をスタックトレイ６又は排出トレイ４８まで搬送する搬送ローラ対４６３及び４６４等が設けられている。
【００５０】
用紙の両面に画像を形成する場合は、記録部４０によって用紙の一方の面に画像の形成が施された後、この用紙を排出トレイ４８側の搬送ローラ対４６３にニップされた状態にする。この状態で搬送ローラ対４６３を逆回転させて用紙をスイッチバックさせ、用紙を用紙搬送路Ｌに送って記録部４０の上流域に再度搬送し、記録部４０によって他方の面に画像の形成が施された後、用紙をスタックトレイ６又は排出トレイ４８に排出する。
【００５１】
また、装置本体３の前方には、操作画面や各種メッセージ等の表示画面を表示する、例えばタッチパネルを備えた表示部５１と、種々の操作命令を入力するための操作ボタン（数字キー群５３、スタートボタン５５等）とを有する操作部５が備えられている。表示部５１は、ＬＣＤ（Liquid Crystal Display）やＥＬＤ（Electronic Luminescent Display）等によって構成され、紙サイズ選択、倍率選択、濃度選択等の選択画面が表示される。本実施の形態では、後述のように、ユーザにＡＤＦスキャン用コンタクトガラス８１の清掃を促すメッセージが、表示部５１に表示されるようになっている。
【００５２】
次に、複合機１の電気的構成を説明する。図３は、複合機１の電気的なハード構成を示すブロック図である。
【００５３】
図３に示すように、複合機１は、ＣＰＵ２１１と、ＲＡＭ２１２と、ＲＯＭ２１３と、補助記憶装置２１４と、Ａ／Ｄ変換部２１６と、画像処理部２１８と、入出力インタフェース２１９とを備え、これらの各部はデータバスＢＵＳによって互いに通信可能に接続されている。
【００５４】
ＣＰＵ２１１は、複合機１の全体的な動作制御を司るものであり、ＲＯＭ２１２や補助記憶装置２１４としてのＨＤＤ等に記憶されているプログラムに従って複合機１における各部の動作を制御する。ＲＡＭ２１２は、ＣＰＵ２１１による前記プログラムに従った複合機１の各部の制御を行う時の作業領域として用いられるものである。ＲＯＭ２１３は、前記プログラムを記憶するものである。
【００５５】
Ａ／Ｄ変換部２１６は、スキャナ部２２のＣＣＤ２２９やＣＩＳ２３１から送出されてくるアナログの電気信号からなる読取画像データを、所定ビット数からなるデジタルの読取画像データに変換するＡ／Ｄ変換処理を行うものである。Ａ／Ｄ変換部２１６は、Ａ／Ｄ変換後の読取画像データを画像処理部２１８等に出力する。
【００５６】
画像処理部２１８は、画像データに対して、レベル補正、ガンマ補正等の補正処理、画像データの圧縮又は伸長処理、拡大又は縮小処理などの画像加工処理を行う。
【００５７】
入出力インタフェース２１９には、通信部２２０等が接続されている。通信部２２０は、ネットワークに接続され、ネットワーク上の端末装置からのプリント要求を受け付ける。これにより、複合機１はリモートプリンタとして機能する。また、通信部２２０は、電話回線等に接続され、ファクシミリ信号の送受信を行う。これにより、複合機１はファクシミリ装置として機能する。
【００５８】
前記のＣＰＵ２１１、ＲＡＭ２１２およびＲＯＭ２１３は、複合機１の制御部２１０を構成する。この制御部２１０の有する主な機能を、図４に示す機能ブロック図に表している。
【００５９】
ＡＤＦ読取モードにおいて原稿が読み取られたときに発生する筋（図８参照）の原因の多くは、ＡＤＦスキャン用コンタクトガラス８１上に貯まった原稿のゴミ(紙粉)が、搬送されている原稿に送られて原稿読取位置へと移動し、当該原稿読取位置に滞留して発生するものである。
【００６０】
したがって、原稿の読み取り前に、原稿読取位置に紙粉等の異物が無くとも、ＡＤＦスキャン用コンタクトガラス８１上に多くの異物が貯まっていれば、近い将来、読み取り画像中に筋が発生する可能性が高まる。そこで、本実施の形態の複合機１は、事前に（原稿の読み取り前などに）、ＡＤＦスキャン用コンタクトガラス８１の略全域（原稿読取位置の領域のみならず、その他の領域をも含むＡＤＦスキャン用コンタクトガラス８１の領域）をスキャンし、異物が存在する異常画素の数や頻度を判断して、ユーザに清掃を促す等の措置を講じることができる原稿読取装置の機能を実現する。
【００６１】
上記の機能を実現するために、制御部２１０は、図４に示すように、基準画素値記憶部６１、読取制御部６２、読取画素値記憶部６３、異常画素検出部６４、判定部６５、警告部６６、および読取位置変更部６７を備えている。
【００６２】
基準画素値記憶部６１は、予め清掃を行ってＡＤＦスキャン用コンタクトガラス８１に異物が存在しない状態においてＡＤＦスキャン用コンタクトガラス８１の全域をスキャンして得られた基準画素値を、所定の記憶領域に記憶している。
【００６３】
前記の基準画素値を得るには、いくつかの方法がある。たとえば、異物が存在しない状態のＡＤＦスキャン用コンタクトガラス８１の全域を複数回スキャンし、得られた複数の読み取り画素データを画素位置毎に平均し、全ての画素位置の基準画素値をそれぞれ求める方法がある。このようにして得られた画素位置毎の基準画素値は、スキャナ部２２における読み取りのバラつきの問題を、平均を取ることによって抑制した値となっているので、基準値としての精度が高い。
【００６４】
なお、異物が存在しない状態のＡＤＦスキャン用コンタクトガラス８１の全域を１回だけスキャンして得られた画素位置毎の基準画素値を、基準画素値記憶部６１に記憶することもできる。
【００６５】
また、ＡＤＦスキャン用コンタクトガラス８１の全域をスキャンして得られる全ての画素位置の基準画素値を求めるのではなく、副走査方向に並ぶ複数の画素データの平均をとって副走査方向の画素毎の基準画素値を求める方法もある。この方法で求められた副走査方向の画素毎の基準画素値を基準画素値記憶部６１に記憶することもできる。
【００６６】
また、ＡＤＦスキャン用コンタクトガラス８１の全域をスキャンして得られる全ての画素位置の基準画素値を求めるのではなく、全ての画素位置にある全画素データの平均値をとり、全ての画素を代表する一つの基準画素値を求める方法もある。この方法で求められた一つの基準画素値を、基準画素値記憶部６１に記憶することもできる。
【００６７】
なお、通常、前記の基準画素値は、複合機１の製品製造時において（製品としての出荷前において）、上記のいずれかの方法によって求められ、基準画素値記憶部６１に記憶される。ただし、これに限定されるものではなく、任意のタイミングでユーザが複合機１を操作することにより、基準画素値記憶部６１に記憶される基準画素値をセットまたはリセットすることも可能である。たとえば、複合機１が基準画素値設定モードを備え、ユーザが予め清掃を行ってＡＤＦスキャン用コンタクトガラス８１に異物が存在しない状態とした後、基準画素値設定モードにすれば、自動的にＡＤＦスキャン用コンタクトガラス８１の全域のスキャンが開始され、上記のいずれかの方法によって求められた基準画素値が基準画素値記憶部６１に記憶されるようにしてもよい。
【００６８】
前記の読取制御部６２は、原稿給紙部２１が原稿を給紙していない状態においてＡＤＦスキャン用コンタクトガラス８１の全域をスキャンするように、画像読取部２のスキャナ部２２を制御する。
【００６９】
前記の読取画素値記憶部６３は、読取制御部６２の制御によって読み取られたＡＤＦスキャン用コンタクトガラス８１全域の画素データを、所定の記憶領域に記憶する。
【００７０】
前記の異常画素検出部６４は、読取画素値記憶部６３に記憶されているＡＤＦスキャン用コンタクトガラス８１全域の読み取り画素データの値と、基準画素値記憶部６１に記憶されている基準画素値とを比較して、両者の値の差分が所定の閾値以上である画素を異常画素として検出する。
【００７１】
ところで、図２に示すように、ＡＤＦスキャン用コンタクトガラス８１の上方であって、当該ＡＤＦスキャン用コンタクトガラス８１と対向する位置には背板８４（基準部材）が設けられている。よって、原稿を搬送していない状態でＡＤＦスキャン用コンタクトガラス８１をスキャンすれば、背板８４の色を取得することとなる。この背板８４の色は、黒色であることが望ましい。なぜならば、読み取り画像中に筋が発生する原因の多くは、紙粉であると考えられるためである。すなわち、紙粉の色は、通常、黒よりも白に近い灰色であるため、背板８４を黒にする方がより紙粉の色との濃度差が大きくなり、紙粉の存在を異常画素として検出する精度が高まるのである。
【００７２】
前記の判定部６５は、異常画素検出部６４にて検出された異常画素を計数し、計数した異常画素数が所定の閾値以上のとき、ＡＤＦスキャン用コンタクトガラス８１上に多くの異物が貯まっていることにより、近い将来、読み取り画像中に筋が発生する可能性が高い状態（以下、筋発生前状態と称する）になっていると判断する。
【００７３】
ところで、ＡＤＦスキャン用コンタクトガラス８１上に貯まった紙粉等の異物は、搬送されている原稿に送られて、原稿搬送方向上流から下流へと移動し易い。このことを考慮すれば、原稿読取位置よりも原稿搬送方向上流側に存在する異常画素の方が、原稿読取位置よりも原稿搬送方向下流側に存在する異常画素よりも、原稿読取位置に近づき易いと言える。
【００７４】
そこで、異常画素を計数する場合、原稿読取位置よりも原稿搬送方向上流側に存在する異常画素の方が、原稿読取位置よりも原稿搬送方向下流側に存在する異常画素よりも、相対的に重みを高くすることが望ましい。例えば、原稿読取位置よりも原稿搬送方向上流側に存在する異常画素の重み係数を１とし、原稿読取位置よりも原稿搬送方向下流側に存在する異常画素の重み係数を０．５とする。一例として、異常画素数の閾値を３とした場合、原稿読取位置よりも原稿搬送方向上流側に存在する異常画素が３つ以上であれば筋発生前状態と判定される一方、原稿読取位置よりも原稿搬送方向下流側に存在する異常画素の場合、６つ以上にならないと筋発生前状態とは判定されない。原稿読取位置よりも原稿搬送方向上流側にも下流側にも異常画素が存在する場合、上記の重み係数に基づく異常画素の計数値を求め、当該計数値が閾値以上のとき筋発生前状態と判定される。なお、上記の重み係数（１、０．５）および閾値（３）は一例であって、その他の値を任意に設定することが可能である。
【００７５】
また、ＡＤＦスキャン用コンタクトガラス８１よりも原稿搬送方向下流側に配されたテーブルスキャン用コンタクトガラス８２に紙粉や塵などの異物が存在する場合、当該異物がＡＤＦスキャン用コンタクトガラス８１の原稿読取位置に移動することもある。そこで、ＡＤＦスキャン用コンタクトガラス８１だけではなく、テーブルスキャン用コンタクトガラス８２をもスキャンし、上記と同様にしてテーブルスキャン用コンタクトガラス８２上の異常画素をも検出し、その異常画素数が所定の閾値以上になったとき、近い将来、読み取り画像中に筋が発生する可能性が高い筋発生前状態と判定する構成とすることもできる。
【００７６】
なお、判定部６５は、ＡＤＦスキャン用コンタクトガラス８１上の原稿読取位置に１つでも異常画素が存在する場合は、読み取り画像中に筋が発生する状態（以下、筋発生状態と称する）になっていると判断する。
【００７７】
前記の警告部６６は、判定部６５が筋発生前状態の判定をしたとき、表示部５１に、ＡＤＦスキャン用コンタクトガラス８１の清掃をユーザに促すメッセージを表示させる。また、警告部６６は、判定部６５が筋発生状態の判定をしたときも同様に、表示部５１に、ＡＤＦスキャン用コンタクトガラス８１の清掃をユーザに促すメッセージを表示させる。この場合において、判定結果が筋発生前状態と筋発生状態とで、警告表示レベルを異ならせ、メッセージを変えてもよい。例えば、筋発生前状態の場合、筋発生の可能性が高い旨をメッセージに含め、筋発生状態の場合、筋が発生する旨をメッセージに含めることができる。
【００７８】
前記の読取位置変更部６７は、判定部６５が筋発生前状態または筋発生状態の判定をしたとき、より筋発生の可能性が低い読み取り位置となるように、原稿読取位置を変更する。ここで、より筋発生の可能性が低い読み取り位置とは、検出された異常画素からより遠さかる読み取り位置とすることができる。
【００７９】
また、上述のように、ＡＤＦスキャン用コンタクトガラス８１上に貯まった紙粉等の異物は、搬送されている原稿に送られて原稿搬送方向上流から下流へと移動し易い。よって、読取位置変更部６７は、全ての異常画素よりも（換言すれば、最も上流に位置する異常画素よりも）読み取り位置が上流となるように原稿読取位置を変更することによっても、筋発生の可能性をより低減できる。
【００８０】
本実施の形態では、警告部６６によるユーザに清掃を促すメッセージの表示動作と、読取位置変更部６７による原稿読取位置の変更動作とが何れも可能であるが、何れか一方のみを行うようにしてもよい。
【００８１】
上記の構成において、本実施の形態に係る原稿読取装置は、スキャナ部２２（読み取り光学系）をＡＤＦスキャン用コンタクトガラス８１下方の原稿読取位置に静止させ、原稿の画像が形成された面がＡＤＦスキャン用コンタクトガラス８１に当接するように原稿を副走査方向に搬送しながら、スキャナ部２２にて原稿を主走査方向にスキャンして原稿の画像を読み取るようになっている。
【００８２】
本実施の形態に係る原稿読取装置（それを用いた複合機１）は、ＡＤＦスキャン用コンタクトガラス８１上の原稿読取位置に異常画素が存在する場合は勿論のこと、原稿読取位置に異常画素が存在しない場合であったとしても、ＡＤＦスキャン用コンタクトガラス８１上に閾値以上の異常画素が存在する場合は、ユーザに清掃を促すメッセージを表示する等の措置を講じるという特徴的な動作を行う。以下、この複合機１の動作を、図５のフローチャートを参照して説明する。
【００８３】
原稿給紙部２１に原稿がセットされた状態で操作者によって操作部５のスタートボタン５５が押下され、ＡＤＦ読取モードによる画像読取指示が操作部５に受け付けられると（Ｓ１でＹＥＳ）、読取制御部６２が、原稿給紙部２１が原稿を給紙していない状態において、ＡＤＦスキャン用コンタクトガラス８１の全域をスキャンするように、画像読取部２のスキャナ部２２を制御する（Ｓ２）。このとき、スキャナ部２２にて読み取られたＡＤＦスキャン用コンタクトガラス８１全域の画素データは、読取画素値記憶部６３に記憶される。
【００８４】
次に、異常画素検出部６４が、読取画素値記憶部６３に記憶されたＡＤＦスキャン用コンタクトガラス８１全域の読み取り画素データの値と、基準画素値記憶部６１に予め記憶されている基準画素値とを比較して、両者の値の差分が所定の閾値以上である画素を異常画素として検出する（Ｓ３）。
【００８５】
次に、判定部６５が、前記Ｓ３にて検出された異常画素を計数する（Ｓ４）。そして、Ｓ４で計数された異常画素数が所定の閾値以上のとき（Ｓ５でＹＥＳ）、判定部６５は、読み取り画像中に筋が発生する可能性が高い筋発生前状態と判断する。このとき、警告部６６が、ＡＤＦスキャン用コンタクトガラス８１の清掃をユーザに促すメッセージを表示部５１に表示させる警告処理を行う（Ｓ６）。
【００８６】
なお、Ｓ６の警告処理に代えて、またはＳ６の警告処理と共に、読取位置変更部６７による原稿読取位置の変更処理を行ってもよい。
【００８７】
なお、図５のフローチャートでは、便宜上、ＡＤＦスキャン用コンタクトガラス８１上の原稿読取位置に異常画素が存在する筋発生状態が検出されたときの動作を省略している。
【００８８】
以上のように、本実施の形態に係る原稿読取装置およびそれを用いた画像形成装置（複合機１）は、ＡＤＦスキャン用コンタクトガラス８１の原稿読取位置の領域のみならずその他の領域をも含むコンタクト透過板領域をスキャンし、原稿読取位置以外の領域に紙粉等の異物が存在する場合においても、当該異物を異常画素として検出している。そして、このようにして検出した異常画素に基づいて、読み取り画像中に筋が発生する読取異常の可能性を判定することにより、読み取り画像中の筋の発生を未然に検知することができるという効果を奏する。
【００８９】
（実施の形態２）
以下、図面を参照して本発明の実施の形態２を詳細に説明する。尚、実施の形態１と同一の構成部材には同一の部材番号を付与し、その説明を省略する。
【００９０】
前述のように、ＡＤＦスキャン用コンタクトガラス８１上に貯まった紙粉等の異物は、搬送されている原稿に送られて、原稿搬送方向上流から下流へと移動し易い。このようなＡＤＦスキャン用コンタクトガラス８１上における異物の位置の変化をモニタすることによって、原稿読取位置へと異物が移動する可能性、すなわち、読み取り画像中に筋が発生する可能性が高い状態（筋発生前状態）を判断することができる。
【００９１】
すなわち、本実施の形態２の複合機１は、前回または過去数回にわたって検出したＡＤＦスキャン用コンタクトガラス８１上の異常画素の位置データを記憶しておき、今回検出した異常画素の位置が、過去の異常画素の位置と比較して原稿読取位置へ近づいているか否かを判断することによって、筋発生前状態を判定する機能を有する。
【００９２】
上記の機能を実現するために、本実施の形態２に係る原稿読取装置を備えた複合機１の制御部２１０は、図６に示すように、基準画素値記憶部６１、読取制御部６２、読取画素値記憶部６３、異常画素検出部６４、異常画素位置記憶部７０、判定部７５、警告部６６、および読取位置変更部６７を備えている。
【００９３】
なお、図１ないし図３に示す複合機１の基本構成は、実施の形態１と実施の形態２とで異なるところはない。
【００９４】
基準画素値記憶部６１は、前述した実施の形態１のものと同様であるが、本実施の形態２では異常画素の位置情報（ＸＹ座標の位置情報）を扱う関係上、ＡＤＦスキャン用コンタクトガラス８１のスキャン領域における全ての画素位置の基準画素値を記憶している。すなわち、基準画素値記憶部６１は、ＸＹ座標の画素位置毎に基準画素値を有する。
【００９５】
異常画素位置記憶部７０は、今回検出された異常画素の位置データだけではなく、前回または過去数回にわたって検出された異常画素の位置データを記憶する。
【００９６】
判定部７５は、今回検出した異常画素の位置と、過去の異常画素の位置とを比較し、異常画素の位置が、原稿読取位置よりも原稿搬送方向上流側からその下流の原稿読取位置へと向かって原稿読取位置に近づいているのか、それとも原稿読取位置を通り過ぎて原稿読取位置から遠ざかっているのかを判断する。ここで、異常画素の位置が原稿読取位置に近づいている場合は、読み取り画像中に筋が発生する可能性が高い状態（筋発生前状態）であると判定することができる。
【００９７】
また、判定部７５は、異常画素の位置が原稿読取位置に近づいている場合であって、原稿読取位置までの距離が閾値以下の場合にのみ、読み取り画像中に筋が発生する可能性が高い状態（筋発生前状態）であると判定するようにしてもよい。
【００９８】
その他の構成要素（読取制御部６２、読取画素値記憶部６３、異常画素検出部６４、警告部６６、および読取位置変更部６７）については、実施の形態１と同様である。
【００９９】
上記の構成において、本実施の形態に係る複合機１の動作を、図７のフローチャートを参照して以下に説明する。
【０１００】
原稿給紙部２１に原稿がセットされた状態で操作者によって操作部５のスタートボタン５５が押下され、ＡＤＦ読取モードによる画像読取指示が操作部５に受け付けられると（Ｓ１１でＹＥＳ）、読取制御部６２が、原稿給紙部２１が原稿を給紙していない状態において、ＡＤＦスキャン用コンタクトガラス８１の全域をスキャンするように、画像読取部２のスキャナ部２２を制御する（Ｓ１２）。このとき、スキャナ部２２にて読み取られたＡＤＦスキャン用コンタクトガラス８１全域の画素データは、読取画素値記憶部６３に記憶される。
【０１０１】
次に、異常画素検出部６４が、読取画素値記憶部６３に記憶されたＡＤＦスキャン用コンタクトガラス８１全域の読み取り画素データの値と、基準画素値記憶部６１に予め記憶されている基準画素値とを比較して、両者の値の差分が所定の閾値以上である画素を異常画素として検出する（Ｓ１３）。
【０１０２】
次に、異常画素位置記憶部７０は、今回検出された異常画素の位置データを記憶する（Ｓ１４）。この異常画素位置記憶部７０には、過去ｎ回分（ｎは１以上の整数）の異常画素の位置データも記憶されている。なお、過去（ｎ＋１）回以前のデータは、今回の異常画素の位置データが記憶されたときに消去される（今回のデータによって上書きされる）。
【０１０３】
次に、判定部７５が、今回検出した異常画素の位置と、過去の異常画素の位置とを比較し、異常画素の位置が、原稿読取位置よりも原稿搬送方向上流側からその下流の原稿読取位置へと向かって原稿読取位置に近づいているのか、それとも原稿読取位置を通り過ぎて原稿読取位置から遠ざかっているのかを判断する（Ｓ１５）。ここで、異常画素の位置が原稿読取位置から遠ざかっている場合（Ｓ１５でＮＯ）、警告処理等を行うことなく処理を終了する。
【０１０４】
一方、異常画素の位置が原稿読取位置に近づいている場合（Ｓ１５でＹＥＳ）、判定部７５は、現在の異常画素の位置における原稿読取位置までの距離が所定の閾値以下であるか否かを判定する（Ｓ１６）。ここで、原稿読取位置までの距離が閾値より遠い場合（Ｓ１６でＮＯ）、警告処理等を行うことなく処理を終了する。一方、原稿読取位置までの距離が閾値以下の場合（Ｓ１６でＹＥＳ）、判定部７５は、読み取り画像中に筋が発生する可能性が高い筋発生前状態と判断する。このとき、警告部６６が、ＡＤＦスキャン用コンタクトガラス８１の清掃をユーザに促すメッセージを表示部５１に表示させる警告処理を行う（Ｓ１７）。
【０１０５】
上記では、Ｓ１５でＹＥＳと判定（異常画素の位置が原稿読取位置に近づいていると判定）された後に、さらにＳ１６にて異常画素の原稿読取位置までの距離の判定を行っているが、Ｓ１５でＹＥＳと判定されたときにＳ１７の警告処理を行うようにしてもよい。
【０１０６】
また、Ｓ１７の警告処理に代えて、またはＳ１７の警告処理と共に、読取位置変更部６７による原稿読取位置の変更処理を行ってもよい。また、図７のフローチャートでは、便宜上、ＡＤＦスキャン用コンタクトガラス８１上の原稿読取位置に異常画素が存在する筋発生状態が検出されたときの動作を省略している。
【０１０７】
本発明は、前記実施の形態の構成に限られず種々の変形が可能である。例えば、前記実施の形態１および２では、本発明に係る原稿読取装置を備えた画像形成装置の例として複合機１を示しているが、複合機１に限定されるものではなく、コピー機、ファクシミリ装置等であっても構わない。また、当然のことながら、他の装置に組み込まれていないイメージスキャナ装置等の単独の原稿読取装置であってもよい。
【０１０８】
また、前記実施の形態１と実施の形態２との機能を両方とも備え、両方の機能を併せて読み取り画像中に筋が発生する可能性が高い筋発生前状態判定を行うこともできる。
【符号の説明】
【０１０９】
１  複合機
２  画像読取部（原稿読取装置）
３  装置本体（画像形成部）
２１  原稿給紙部
２２  スキャナ部
６１  基準画素値記憶部
６２  読取制御部
６３  読取画素値記憶部
６４  異常画素検出部
６５  判定部
６６  警告部
６７  読取位置変更部
７０  異常画素位置記憶部
７５  判定部
８１  ＡＤＦスキャン用コンタクトガラス（コンタクト透過板）
８２  テーブルスキャン用コンタクトガラス
８４  背板（基準部材）
２１０  制御部
２２１  コンタクトガラス
【図１】
2011234129.tif 000003
【図２】
2011234129.tif 000004
【図３】
2011234129.tif 000005
【図４】
2011234129.tif 000006
【図５】
2011234129.tif 000007
【図６】
2011234129.tif 000008
【図７】
2011234129.tif 000009
【図８】
2011234129.tif 000010